(57)【要約】【課題】  プラテンと記録ヘッドとの間において付箋紙を円滑に搬送することができ、これにより付箋紙への記録品質に影響を及ぼすことなく記録を行うことが可能なプリンタを提供する。【解決手段】  プラテンの長手方向における一端部のうち付箋紙の一端部と他端部とを同時に前記プラテンに当接させて記録を行う場合における付箋紙の貼着部が当接する位置に、プラテンの表面と貼着部との摩擦係数を低下させる処理として撥水処理が施された低摩擦部を設ける。【選択図】      図２
2006088347.tif 000002
【特許請求の範囲】
【請求項１】
長手方向に沿って記録媒体が圧接されるプラテンと、前記プラテンに記録媒体を介して対向して設けられた記録ヘッドとを有し、前記記録媒体として一面の一端部に着脱可能な貼着部を有する付箋紙に記録可能なプリンタにおいて、
前記プラテンの長手方向における一端部のうち前記付箋紙の前記一端部と他端部とを同時に前記プラテンに当接させて記録を行う場合における前記貼着部が当接する位置に、前記プラテンの表面と前記貼着部との摩擦係数を低下させる処理が施された低摩擦部が設けられていることを特徴とするプリンタ。
【請求項２】
前記低摩擦部には、前記摩擦係数を低下させる処理として撥水処理が施されていることを特徴とする請求項１に記載のプリンタ。
【請求項３】
プラテンと、前記プラテンに記録媒体を介して圧接可能に設けられた記録ヘッドとを有し、前記記録媒体として一面の一端部に着脱可能な貼着部を有する付箋紙に記録可能なプリンタにおいて、
前記プラテンと前記記録ヘッドとの圧接状態において、前記付箋紙を前記貼着部の反対側を先端部として搬送して記録を行い、前記貼着部が前記プラテンと前記記録ヘッドとの圧接位置の近傍に搬送されると、記録動作および搬送動作を停止し、前記プラテンと前記記録ヘッドとの圧接状態が解除されるように制御する制御部が設けられていることを特徴とするプリンタ。
【請求項４】
プラテンと、前記プラテンに記録媒体を介して圧接可能に設けられた記録ヘッドとを有し、前記記録媒体として一面の一端部に着脱可能な貼着部を有する付箋紙に記録可能なプリンタにおいて、
前記プラテンと前記記録ヘッドとの圧接状態において、前記付箋紙を前記貼着部の反対側の他端部から搬送して記録を行い、前記貼着部が前記プラテンと前記記録ヘッドとの圧接位置の前記付箋紙の搬送方向より上流側近傍に搬送されると、記録動作および搬送動作を停止し、前記プラテンと前記記録ヘッドとの圧接状態が解除されるように制御する制御部が設けられていることを特徴とする請求項１または請求項２に記載のプリンタ。
【請求項５】
前記貼着部が前記圧接位置の前記搬送方向より上流側近傍に搬送されると、前記一端部を検出する位置に検出センサを設け、前記検出センサにより前記一端部が検出されると、前記記録動作および前記搬送動作を停止することを特徴とする請求項３または請求項４に記載のプリンタ。
【請求項６】
前記付箋紙のうち前記搬送方向における前記貼着部を除く長さ寸法を記録した後、前記記録動作および前記搬送動作を停止することを特徴とする請求項３または請求項４に記載に記載のプリンタ。
【請求項７】
記録媒体を備えたカバーに保持されていることを特徴とする請求項１ないし請求項６のいずれか１項に記載のプリンタ。
【請求項８】
前記カバーにデータ入力機器が保持され、前記データ入力機器から記録データを入力することを特徴とする請求項７に記載のプリンタ。
【発明の詳細な説明】
【技術分野】
【０００１】
本発明はプリンタに係り、特に付箋紙に記録を行うのに好適なプリンタに関する。
【背景技術】
【０００２】
従来より、一面の一端部に接着対象物に対して着脱可能な貼着部を有する付箋紙が、見出しや目印さらにはメモ用紙等として多用されており、さらに、この付箋紙に記録を行うプリンタが考えられている。
【０００３】
この付箋紙に記録を行うプリンタは、付箋紙における貼着部と反対側を先頭向きとし、貼着部が設けられた一面をプラテンに当接させるようにして、プラテンと記録ヘッドとの間にインクリボンを介して挟持し、付箋紙を搬送しながら記録ヘッドにより記録を行うようになっている（例えば、特許文献１、特許文献２参照）。
【０００４】
しかし、前述のような付箋紙に記録を行うプリンタにおいては、付箋紙への記録中に貼着部がプラテンに当接してしまう場合がある。ここで、貼着部は非転移性の接着材を付箋紙の一面の一端部に付与することにより接着物に対して着脱可能に設けられているが、接着材の性質により貼着部とプラテンとの間の摩擦係数は、付箋紙における貼着部以外の部分とプラテンとの間の摩擦係数と比較して高い。このため、貼着部がプラテンに当接すると、プラテンと記録ヘッドとの間において付箋紙を円滑に搬送することができず、記録品質に影響を及ぼしてしまうおそれがあるという問題を有していた。
【０００５】
【特許文献１】特開２００３−０１１４３６号公報
【特許文献２】特開２００３−０１１４３７号公報
【発明の開示】
【発明が解決しようとする課題】
【０００６】
本発明はこれらの点に鑑みてなされたものであり、プラテンと記録ヘッドとの間において付箋紙を円滑に搬送することができ、付箋紙への記録品質に影響を及ぼすことなく記録を行うことが可能なプリンタを提供することを目的とする。
【課題を解決するための手段】
【０００７】
前記目的を達成するため、本発明に係るプリンタの特徴は、長手方向に沿って記録媒体が圧接されるプラテンと、前記プラテンに記録媒体を介して対向して設けられた記録ヘッドとを有し、前記記録媒体として一面の一端部に着脱可能な貼着部を有する付箋紙に記録可能なプリンタにおいて、前記プラテンの長手方向における一端部のうち前記付箋紙の前記一端部と他端部とを同時に前記プラテンに当接させて記録を行う場合における前記貼着部が当接する位置に、前記プラテンの表面と前記貼着部との摩擦係数を低下させる処理が施された低摩擦部が設けられている点にある。
【０００８】
また、前記低摩擦部には、前記摩擦係数を低下させる処理として撥水処理が施されているとよい。
【０００９】
本発明に係るプリンタによれば、貼着部が低摩擦部に当接するようにして付箋紙を配置させ、記録を行うようになっている。ここで、低摩擦部には、低摩擦部と付箋紙との間の摩擦係数を低下させる処理が施されているので、貼着部と低摩擦部との間の摩擦係数を、貼着部を除く付箋紙と低摩擦部を除くプラテンとの間の摩擦係数と同程度の摩擦係数に近づけることができる。このため、プラテンと記録ヘッドとの間に挟持された付箋紙を円滑に搬送することができる。
【００１０】
さらに、本発明に係る他のプリンタの特徴は、プラテンと、前記プラテンに記録媒体を介して圧接可能に設けられた記録ヘッドとを有し、前記記録媒体として一面の一端部に着脱可能な貼着部を有する付箋紙に記録可能なプリンタにおいて、前記プラテンと前記記録ヘッドとの圧接状態において、前記付箋紙を前記貼着部の反対側を先端部として搬送して記録を行い、前記貼着部が前記プラテンと前記記録ヘッドとの圧接位置の近傍に搬送されると、記録動作および搬送動作を停止し、前記プラテンと前記記録ヘッドとの圧接状態が解除されるように制御する制御部が設けられている点にある。
【００１１】
また、前記貼着部が前記圧接位置の前記搬送方向より上流側近傍に搬送されると、前記一端部を検出する位置に検出センサを設け、前記検出センサにより前記一端部が検出されると、前記記録動作および前記搬送動作を停止するとよい。
【００１２】
さらに、前記付箋紙のうち前記搬送方向における前記貼着部を除く長さ寸法を記録した後、前記記録動作および前記搬送動作を停止するようにしてもよい。
【００１３】
本発明に係る他のプリンタによれば、前記貼着部が前記プラテンと前記記録ヘッドとの圧接位置の近傍に搬送されると、記録中のステップ数の後、搬送動作および記録動作を停止する。このため、付箋紙の搬送に影響を与えることなく付箋紙に対して記録を行うことができる。
【００１４】
また、本発明に係る他のプリンタは、記録媒体を備えたカバーに保持されるようにしてもよく、さらには、前記カバーにデータ入力機器を保持し、前記データ入力機器から記録データを入力するようにしてもよい。これにより、プリンタをカバーによって保護することができるとともに、プリンタは、カバーに備えられた記録媒体を用いて手軽に記録することができる。
【発明の効果】
【００１５】
以上述べたように、本発明に係るプリンタによれば、付箋紙に対し記録品質に影響を及ぼすことなく良好な記録を行うことができる。
【発明を実施するための最良の形態】
【００１６】
以下、本発明に係るプリンタの一実施形態を図１から図６を参照して説明する。
【００１７】
図１は、本実施形態に係るプリンタが保持された手帳を示す概念図であり、図１に示すように、前記プリンタ１は、手帳２のカバー３に設けられた保持手段４に上縁、下縁および側面の一部を保持されることにより手帳２に装着されており、手帳２に備えられた手帳用紙５を用いて記録を行うことができるようになっている。これにより、プリンタ１は、手帳用紙５と一体に運搬可能となっており、さらに、手帳２のカバー３により保護されるようになっている。
【００１８】
図２に示すように、プリンタ１には、所定の長さ寸法を有する円柱状のプラテン７が回転可能に設けられており、このプラテン７は、図示しないステッピングモータにより回転駆動されるようになっている。プラテン７に対向する位置にはプラテン７の長さ寸法に対向する長さ寸法の記録ヘッド８が、インクリボン（図示せず）および記録媒体を介してプラテン７に圧接可能に設けられている。記録ヘッド８におけるプラテン７に対向する位置には、複数の発熱素子９がライン状に並列配置して設けられている。
【００１９】
このプリンタ１は、記録媒体を介して記録ヘッド８をプラテン７に圧接させることにより、記録媒体を記録ヘッド８とプラテン７との間に挟持し、プラテン７を回転させることにより記録媒体を搬送しながら記録媒体に記録を行うようになっている。
【００２０】
また、図３に示すように、プリンタ１は、記録媒体として一面の一端部に着脱可能な貼着部１２を有する付箋紙１１に記録を行うことができるようになっており、付箋紙１１を貼着部１２が設けられている一端部と貼着部１２が設けられていない他端部とを同時にプラテン７に当接させるように配置させることにより記録を行うことが可能なほか、他端部を付箋紙１１の先端部として記録ヘッド８とプラテン７との間に配置させることにより記録を行うことができるようになっている。
【００２１】
プラテン７の長手方向における一端部であって付箋紙１１の貼着部１２が当接する位置には、プラテン７の表面と貼着部１２との間の摩擦係数を低下させる処理が施された低摩擦部１４が、前記貼着部１２が当接する位置の周面全体に至るように設けられている。本実施形態においては、低摩擦部１４に撥水処理を施すことによりプラテン７の表面と貼着部１２との間の摩擦係数を低下させている。この低摩擦部１４は、一例としてプラテン７の長手方向における長さ寸法が１〜１．５ｃｍとなるように設けられている。
【００２２】
記録ヘッド８の近傍には、手動によって記録ヘッド８をプラテン７に対して圧接状態にし、または圧接状態を解除可能な圧接動作レバー１６が設けられており、図４に示すように、この圧接動作レバー１６を所定の方向に操作すると、記録ヘッド８はプラテン７から離間する方向に移動し、これによりプラテン７と記録ヘッド８との圧接状態を解除することができるようになっている。
【００２３】
記録媒体の搬送方向におけるプラテン７と記録ヘッド８との圧接位置よりも上流側には、図５に示すように、貼着部１２が圧接位置の搬送方向における上流側の近傍に搬送されると、付箋紙１１の一端部すなわち終端部を検出する検出センサ１８が設けられている。
【００２４】
このプリンタ１は、図６に示すように、プリンタ１の各部の動作を制御する制御部１９を有しており、この制御部１９は、例えば携帯電話やＰＤＡ等のデータ入力機器から記録データ２０が入力されると、記録ヘッド８をプラテン７に圧接させるとともにプラテン７をステッピングモータ（図示せず）により回転させて記録媒体の搬送を開始し、記録データ２０に基づき記録ヘッド８の各発熱素子９を発熱させて記録媒体に所望の記録を行うようになっている。
【００２５】
また、制御部１９は、記録データ２０を入力すると、検出センサ１８に記録媒体の終端部の検出を開始させ、記録ヘッド８による記録中に検出センサ１８から終端部を検出したという終端部データを入力すると、所定のステップ数の記録および搬送を続行した後、プラテン７の回転および発熱素子９の発熱を停止するようになっている。
【００２６】
さらに、制御部１９は、記録データ２０とともに、付箋紙１１の他端部を先端部として記録ヘッド８とプラテン７との間に配置させて記録を行うという情報を入力した場合には、記録中に検出センサ１８から前記終端部データを入力すると、記録中のステップ数の後、即時にプラテン７の回転および発熱素子９の発熱を停止させるようになっている。
【００２７】
また、前記圧接位置よりも下流側には、プリンタ１から記録が終了した記録媒体を排出する排出口２１が設けられている。
【００２８】
次に、本実施形態の作用について説明する。
【００２９】
第１に、付箋紙１１を貼着部１２が設けられた一端部と貼着部１２が設けられていない他端部とを同時にプラテン７に当接させるように配置させることにより記録を行う場合を用いて説明する。
【００３０】
まず、プラテン７と記録ヘッド８との圧接が解除されている状態において、図３（ａ）に示すように、貼着部１２が低摩擦部１４に当接するように付箋紙１１を排出口２１より挿入し、所定の位置に付箋紙１１を配置させる。
【００３１】
次に、ＰＤＡ等から無線または有線によりプリンタ１に記録データ２０が入力されると、制御部１９は、記録ヘッド８をインクリボンおよび付箋紙１１を介してプラテン７に圧接させるとともにプラテン７を回転させて付箋紙１１の搬送を開始し、記録データ２０に基づいて記録ヘッド８の各発熱素子９を発熱させることにより付箋紙１１への記録を行う。このとき、貼着部１２は低摩擦部１４に当接しながら搬送されている。さらに、制御部１９は、検出センサ１８に付箋紙１１の搬送方向における終端部の検出を開始させる。
【００３２】
入力した記録データ２０が終了すると、制御部１９は、プラテン７を所定のステップ数だけ回転させて付箋紙１１を搬送し、排出口２１から排出させる。
【００３３】
一方、記録中に検出センサ１８から終端部データを入力すると、制御部１９は、所定のステップ数の記録および搬送を続行した後、各発熱素子９の発熱を終了させる。その後、さらにプラテン７を所定のステップ数回転させて付箋紙１１を搬送し、排出口２１から排出させる。
【００３４】
第２に、貼着部１２が設けられていない他端部を付箋紙１１の記録の先端部として記録ヘッド８とプラテン７との間に配置させることにより記録を行う場合について説明する。
【００３５】
まず、プラテン７と記録ヘッド８との圧接が解除されている状態において、排出口２１から付箋紙１１を挿入する。このとき、図３（ｂ）に示すように、付箋紙１１の他端部が記録の先端部となるように、貼着部１２側からプリンタ１に挿入し、所定の位置に付箋紙１１を配置させる。
【００３６】
続いて、プリンタ１に記録データ２０が入力されると、制御部１９は、第１の場合と同様に、プラテン７を回転させて付箋紙１１の搬送を開始し、各発熱素子９を発熱させて付箋紙１１への記録を行うとともに、検出センサ１８に付箋紙１１の搬送方向における終端部の検出を開始させる。そして、入力した記録データ２０が終了すると、制御部１９は、プラテン７を所定のステップ数回転させて付箋紙１１を搬送し、排出口２１から排出させる。
【００３７】
一方、記録中に検出センサ１８から終端部データを入力すると、制御部１９は、終端部データの入力時に記録したステップ数の後、即時にプラテン７の回転および発熱素子９の発熱を停止させる。これにより、貼着部１２がプラテン７と記録ヘッド８との間に位置する前に付箋紙１１の搬送を停止することができる。
【００３８】
そして、圧接動作レバー１６を手動により操作することにより記録ヘッド８をプラテン７から離間する位置に移動させて、排出口２１から一部排出された他端部を挟持して付箋紙１１を引き抜くことにより、付箋紙１１を排出口２１から排出させる。
【００３９】
さらに、例えば、図３（ｃ）に示すように、手帳２のカバー３に備えられた手帳用紙５を排出口２１から所定位置まで挿入することにより、プリンタ１によって手帳用紙５に記録を行うことも可能である。このとき、手帳用紙５の一面の一側縁部が低摩擦部１４に当接するように配置されても、他の部分が低摩擦部１４以外の位置に当接しているので、プラテン７の回転により手帳用紙５を搬送することができる。
【００４０】
本実施形態によれば、付箋紙１１を一端部と他端部とが同時にプラテン７に当接するように配置することにより記録を行う場合、貼着部１２が低摩擦部１４に当接するように付箋紙１１を排出口２１より挿入して所定の位置に付箋紙１１を配置させることにより記録を行うようになっている。ここで、低摩擦部１４には、低摩擦部１４と付箋紙１１との間の摩擦係数を低下させる処理が施されているので、貼着部１２と低摩擦部１４との間の摩擦係数を、貼着部１２を除く付箋紙１１と低摩擦部１４を除くプラテン７との間の摩擦係数と同程度の摩擦係数に近づけることができる。このため、プラテン７を回転させることにより、プラテン７と記録ヘッド８との間に挟持された付箋紙１１を円滑に搬送することができる。
【００４１】
また、貼着部１２が設けられていない他端部を付箋紙１１の記録の先端部として記録ヘッド８とプラテン７との間に配置させることにより記録を行う場合、記録中に検出センサ１８から終端部データを入力すると、終端部データの入力時に記録したステップ数の後、即時にプラテン７の回転および発熱素子９の発熱を停止させる。ここで、検出センサ１８は、貼着部１２が圧接位置の搬送方向における上流側の近傍に搬送されると付箋紙１１の終端部を検出するようになっているので、プラテン７と記録ヘッド８とが圧接している状態において貼着部１２がプラテン７に当接する前に付箋紙１１の搬送を停止することができる。このため、付箋紙１１の搬送に影響を与えることなく付箋紙１１に対して記録を行うことができる。
【００４２】
したがって、プリンタ１は、付箋紙１１を一端部と他端部とを同時にプラテン７に当接させるように配置させることにより記録を行う場合にも、プラテン７と記録ヘッド８との間に挟持された付箋紙１１を円滑に搬送することができる。また、貼着部１２が設けられていない他端部を付箋紙１１の記録の先端部として記録ヘッド８とプラテン７との間に配置させることにより記録を行う場合にも、付箋紙１１の搬送に影響を与えることなく付箋紙１１に対して記録を行うことができる。これにより、付箋紙１１に対し、記録品質に影響を及ぼすことなく良好な記録を行うことができる。
【００４３】
なお、本発明は前記実施形態に限定されるものではなく、必要に応じて種々変更することが可能である。
【００４４】
例えば、本実施形態においては、付箋紙１１、手帳用紙５の記録媒体を排出口２１からプリンタ１に挿入して記録を行う場合について説明しているが、これに限定されるものではなく、プリンタ１の内部にロール紙を装着することにより、ロール紙に記録を行うようにしてもよい。
【００４５】
また、本実施形態においては、終端部データの入力時における記録中のステップ数の後、即時にプラテン７の回転および発熱素子９の発熱を停止させる場合、圧接動作レバー１６を手動により操作することにより記録ヘッド８をプラテン７から離間する位置に移動させるようになっているが、これに限定されるものではない。例えば、即時にプラテン７の回転および発熱素子９の発熱を停止させた後、自動的に記録ヘッド８をプラテン７から離間させるようにしてもよく、さらには、プラテン７に対する記録ヘッド８の圧接・離間動作を全て圧接動作レバー１６により手動で行うようにしてもよい。
【００４６】
さらに、プリンタ１が保持されている手帳のカバー３に、携帯やＰＤＡ等のプリンタ１に記録データ２０を入力するためのデータ入力機器を一緒に保持するための保持手段４を設けるようにしてもよい。
【００４７】
さらにまた、本実施形態においては、貼着部１２が設けられていない他端部を付箋紙１１の記録の先端部として記録ヘッド８とプラテン７との間に配置させることにより記録を行う場合、検出センサ１８により付箋紙１１の終端部を検出すると、付箋紙１１に対する搬送動作および記録動作を終了するようになっているが、これに限定されるものではない。例えば、本発明に係るプリンタ１は、付箋紙１１の搬送方向における貼着部１２を除く長さ寸法を記録した後、搬送動作および記録動作を終了するようにしてもよい。
【００４８】
さらに、本実施形態においてはインクリボンを用いて記録を行うプリンタを用いて説明したが、これに限定されず、感熱式のプリンタにも用いることができる。
【図面の簡単な説明】
【００４９】
【図１】本発明に係るプリンタを保持する手帳の一実施形態を示す概念図
【図２】図１のプリンタの要部を示す概念図
【図３】（ａ）は、図１のプリンタに付箋紙を挿入する一実施形態を示す概念図、（ｂ）は、付箋紙を挿入する他の実施形態を示す概念図、（ｃ）は、手帳用紙を挿入する位置実施形態を示す概念図
【図４】図２のプラテンに対する記録ヘッドの圧接解除状態を示す概念図
【図５】図２のプラテンと記録ヘッドを示す断面図
【図６】図１のプリンタの制御部を示すブロック図
【符号の説明】
【００５０】
１  プリンタ
２  手帳
３  カバー
４  保持手段
５  手帳用紙
７  プラテン
８  記録ヘッド
９  発熱素子
１１  付箋紙
１２  貼着部
１４  低摩擦部
１６  圧接動作レバー
１８  検出センサ
１９  制御部
２０  記録データ
２１  排出口
【図１】
2006088347.tif 000003
【図２】
2006088347.tif 000004
【図３】
2006088347.tif 000005
【図４】
2006088347.tif 000006
【図５】
2006088347.tif 000007
【図６】
2006088347.tif 000008